(57)【要約】【課題】無線通信システムにおいてＣＰＣＨ（共通物理チャネル）タイムスロットとして指定されたタイムスロットを、ユーザトラフィックのために再使用することができる方法およびシステム。【解決手段】第１のセル（１０２）において使用されるＣＰＣＨタイムスロットが、第２のセル（１０４）によって再使用されることが、第１のセルと第２のセルが、相異なるＣＰＣＨタイムスロット内で制御情報を伝送するものと想定して、ユーザトラフィックに関して可能である。第２のセルは、第１のセルが、制御情報を伝送しているタイムスロットを再使用することを、そのタイムスロットの第２のセルによる再使用により、第１のセルにおける制御情報の受信が低下させられない限り、許される。【選択図】図１
2010035250.tif 000002
【特許請求の範囲】
【請求項１】
無線送信／受信ユニット（ＷＴＲＵ）内で実行される、共通制御チャネルを再利用する方法であって、
制御情報のために指定されたタイムスロットに関する品質メトリックを送信するステップと、
最大パワー限界調整信号を受信するステップと、
前記受信した最大パワー限界調整信号に従って送信電力を調整するステップと、
割当てられた最大限界内で制御情報のために指定されたタイムスロットに関するトラフックデータを、基地局から受信するステップと
を具えたことを特徴とする方法。
【請求項２】
前記品質メトリックは、１次共通制御物理チャネル(ＰＣＣＰＣＨ）に固有であることを特徴とする請求項１記載の方法。
【請求項３】
前記品質メトリックは、前記１次共通制御物理チャネル(ＰＣＣＰＣＨ）上で感知されるブロードキャストチャネル（ＢＣＨ）読み取り時間および信号対干渉比（ＳＩＲ）の少なくとも１つによって測定されることを特徴とする請求項２記載の方法。
【請求項４】
前記品質メトリックは、２次共通制御物理チャネル(ＳＣＣＰＣＨ）に固有であることを特徴とする請求項１記載の方法。
【請求項５】
前記品質メトリックは、前記２次共通制御物理チャネル(ＳＣＣＰＣＨ）上で感知される順方向アクセスチャネル (ＦＡＣＨ）ブロック誤り率、順方向アクセスチャネル (ＦＡＣＨ）ビット誤り率、信号対干渉比（ＳＩＲ）の少なくとも１つによって測定されることを特徴とする請求項４記載の方法。
【請求項６】
前記品質メトリックは、前記無線送信／受信ユニット（ＷＴＲＵ）の位置に関連付けられたことを特徴とする請求項１記載の方法。
【請求項７】
前記品質メトリックは、前記無線送信／受信ユニット（ＷＴＲＵ）の位置は、全地球測位システム（ＧＰＳ）および三角測量技術の少なくとも１つによって測定されることを特徴とする請求項６記載の方法。
【発明の詳細な説明】
【技術分野】
【０００１】
本発明は、無線通信システムに関する。より詳細には、本発明は、無線通信システムにおいて利用可能なリソースを最適化することに関する。
【背景技術】
【０００２】
無線通信システムは、通常、ブロードキャストチャネル（ＢＣＨ）を使用して、無線送信／受信ユニット(ＷＴＲＵ）とシステムの間における通信を円滑にする制御情報を通信する。例えば、ＢＣＨは、ＷＴＲＵが接続さえされる前に、無線アクセス網（ＲＡＮ）に関する情報、ならびにセルに固有の情報をＷＴＲＵに通信するのに使用される。例えば、時間分割２重(ＴＤＤ）タイプのシステムでは、ＢＣＨは、１次共通制御物理チャネル（ＰＣＣＰＣＨ）上で伝送される。また、無線通信は、共通物理チャネル(ＣＰＣＨ）上で伝送される、他の共通制御チャネル群も有することが可能である。例えば、ＴＤＤシステムでは、順方向アクセスチャネル（ＦＡＣＨ）が、２次共通制御物理チャネル(ＳＣＣＰＣＨ）上にマップされる。ＰＣＣＰＣＨとＳＣＣＰＣＨはともに、ＣＰＣＨの実施例である。ＣＰＣＨを伝送するために無線通信システム全体で、同一の確保されたタイムスロットが、通常、使用される。「ＣＰＣＨタイムスロット」という用語は、システムにおいてＣＰＣＨを伝送するのに使用される任意のタイムスロットを指すのに使用されることに留意されたい。
【０００３】
ＷＴＲＵの性能、ならびにセル間のＲＦ分離に依存して、ＴＤＤタイプのシステムは、ＣＰＣＨを伝送するのに、システム全体で単一のタイムスロットしか使用できないことも、複数のタイムスロットを使用して、近隣するセルが、相異なるタイムスロットを使用することを可能にし、これにより、良好なＣＰＣＨ受信を確実にしなければならないことも可能である。システム全体で、ＣＰＣＨを伝送するのに複数のタイムスロットを使用することは、「ＣＰＣＨタイムスロット再使用」と呼ばれる。一方で、ある数のタイムスロットを、ＣＰＣＨを伝送する目的に完全に専用にすること（すなわち、専用チャネル（ＤＣＨ）のために、それらのタイムスロットを使用するのを禁止すること）は、スペクトルの非効率な使用をもたらす可能性があり、これは、容量損失になる。他方、ＤＣＨ信号（すなわち、ユーザトラフィックまたはＤＣＨトラフィック）を伝送するためにＣＰＣＨタイムスロットを再使用することは、一部の区域においてＷＴＲＵに関してＣＰＣＨ受信問題をもたらす可能性がある、干渉のひどいＣＰＣＨ信号につながるので、行われない。劣悪なＣＰＣＨ受信は、無線通信システムに多くの悪影響を与える。例えば、劣悪なＣＰＣＨ受信は、ＷＴＲＵが、システムにアクセスしようと試みる期間が長くなること、ハンドオフや電力制御などの重要な無線リソース管理機能の低下、ならびにＢＣＨおよびＦＡＣＨに関するサービスの穴をもたらす可能性がある。
【発明の概要】
【発明が解決しようとする課題】
【０００４】
現在の知られている無線通信システムでは、ある数のタイムスロットは、ＣＰＣＨを伝送するためだけに専用であり、ＤＣＨ（すなわち、ユーザトラフィック）のためにそれらのタイムスロットを再使用する試みは、全く行われない。したがって、ＣＰＣＨを伝送するために使用されるタイムスロットを、ユーザトラフィックのために再使用することができる方法およびシステムを得ることが望ましい。
【課題を解決するための手段】
【０００５】
本発明は、共通物理チャネル（ＣＰＣＨ）タイムスロットとして無線通信システムにおいて専用のタイムスロットを、ユーザトラフィックのために再使用することができる方法およびシステムである。第１のセルにおいて使用されるＣＰＣＨタイムスロットは、第１のセルと第２のセルが、相異なるＣＰＣＨタイムスロット内で制御情報を伝送するものと想定すると、ユーザトラフィックのために、第２のセルによって再使用されることが可能である。そのタイムスロットの第２のセルによる再使用により、第１のセルにおける制御情報の受信が低下しない限り、第２のセルは、第１のセルが制御情報を伝送しているタイムスロットを再使用することを許される。
【図面の簡単な説明】
【０００６】
【図１】無線通信システム内の３つのセルを示す図である。
【図２】ＣＰＣＨ（共通物理チャネル）を伝送するために無線通信システムにおいて使用されるタイムスロット、すなわち、ＣＰＣＨタイムスロットを、ユーザトラフィックのために再使用することができる方法を示す図である。
【図３】ＣＰＣＨ（共通物理チャネル）を伝送するために無線通信システムにおいて使用されるタイムスロット、すなわち、ＣＰＣＨタイムスロットを、ユーザトラフィックのために再使用することができる無線通信システムを示す図である。
【発明を実施するための最良の形態】
【０００７】
以降、無線送信／受信ユニット(ＷＴＲＵ）には、ユーザ機器、移動局、固定加入者ユニットまたは移動加入者ユニット、ポケットベル、あるいは無線環境で動作することができる他の任意のタイプのデバイスが含まれるが、以上には限定されない。以降に言及する場合、基地局（ＢＳ）には、ノードＢ、サイトコントローラ、アクセスポイント、あるいは無線環境における他の任意のタイプのインタフェースデバイスが含まれるが、以上には限定されない。さらに、共通物理チャネル(ＣＰＣＨ）の概念は、任意のタイプの制御情報の送信および／または受信に関し、ブロードキャストチャネル（ＢＣＨ）が伝送される１次共通制御物理チャネル(ＣＰＣＨ）、およびＦＡＣＨ（順方向アクセスチャネル）が伝送される２次共通制御物理チャネル（ＳＣＣＰＣＨ）を含む、すべての共通物理チャネルを包含することに留意されたい。ＣＰＣＨタイムスロットに言及する場合、ＣＰＣＨタイムスロットは、ＣＰＣＨが伝送されているタイムスロットであることに留意されたい。さらに、セルが、ユーザトラフィックを扱っていると述べる場合、セルは、ユーザトラフィックを送信していること、受信していること、または送受信していることが可能である。
【０００８】
十分なＣＰＣＨ受信を確実にするため、無線通信システムは、システム全体で、複数のタイムスロットをＣＰＣＨに専用にしなければならない可能性がある。複数のタイムスロットをＣＰＣＨタイムスロットとして割り当てることにより、２つのセルのどちらかのセルのＣＰＣＨを検出しようと試みているＷＴＲＵによって感知されるセル間干渉の量を低減するために、１つのセル、例えば、セルＡが、そのセルのＣＰＣＨを、近隣のセル、例えば、セルＢとは異なるタイムスロットで伝送することを行うことができるようになる。しかし、セルＡによって、セルＡのＣＰＣＨを伝送するのに使用されるＣＰＣＨタイムスロットは、セルＢが、別のＣＰＣＨタイムスロットを使用して、セルＢのＣＰＣＨを伝送する場合、セルＢによって使用されない。しかし、方法２００に関連してさらに説明するとおり、本発明は、セルＢが、セルＡによって使用されるＣＰＣＨタイムスロット内で、ユーザトラフィックを扱うことを可能にし、その逆も同様である。つまり、セルＡは、セルＢによって使用されるＣＰＣＨタイムスロット内で、ユーザトラフィックを扱うことができる。
【０００９】
図１を最初に参照すると、３つのセル１０２、１０４、１０６が示されている。セル１０２、１０４、１０６が属する無線通信システムは、タイムスロット１、２、および３をＣＰＣＨの伝送のために割り当てている。つまり、タイムスロット１、２、および３は、ＣＰＣＨタイムスロットである。さらに、セル１０２は、セル１０２のＣＰＣＨをタイムスロット１内で伝送しており、セル１０４は、セル１０４のＣＰＣＨをタイムスロット２内で伝送しており、セル１０６は、セル１０６のＣＰＣＨをタイムスロット３内で伝送しているものと想定する。
【００１０】
本発明によれば、他のセルによってＣＰＣＨを伝送するのに使用されているＣＰＣＨタイムスロットが、その特定のセルによって、そのセル自らのＣＰＣＨを伝送するのに使用されているＣＰＣＨタイムスロットと異なるものと想定すると、特定のセルは、その特定のセルにおけるユーザトラフィックを扱う目的で、他のセルによって、他のセルのＣＰＣＨを伝送するのに使用されるＣＰＣＨタイムスロットを再使用することができる。つまり、セル１０２を例にとると、セル１０２は、セル１０４およびセル１０６において許容できないＣＰＣＨパフォーマンス低下をもたらさない特定の電力レベルで、タイムスロット２内、およびタイムスロット３内でユーザトラフィック（すなわち、ＤＣＨトラフィック）を扱うことができる。セル１０４およびセル１０６は、再使用により、セル１０４およびセル１０６自らのユーザに対するＣＰＣＨパフォーマンスの低下がもたらされない限り、セル１０２が、ユーザトラフィックのためにセル１０４およびセル１０６のＣＰＣＨタイムスロットを再使用することを許す。１つのセルが、別のセルによって、別のセルのＣＰＣＨを伝送するのに使用されているＣＰＣＨタイムスロット内でユーザトラフィックを扱うことができる電力レベルを、Ｐmax_dch_cpchと表記する。
【００１１】
さらに説明するため、セル１０２は、セル１０４によってＣＰＣＨのために使用される、上述したようにタイムスロット２であるＣＰＣＨタイムスロットを、ユーザトラフィックのために再使用しているものと想定する。タイムスロット２のセル１０２による使用により、セル１０４におけるＣＰＣＨパフォーマンスの低下がもたらされない限り、セル１０４は、セル１０２が、タイムスロット２をユーザトラフィックのために使用することを許す。これは、システムが、次のアクションを実行することを要求する。すなわち、各セルにおけるＣＰＣＨパフォーマンスを監視するアクション、他のセルによる、ユーザトラフィックを伝送するためのＣＰＣＨタイムスロットの再使用に起因する、セルにおけるＣＰＣＨパフォーマンス低下を識別するアクション、および最後に、潜在的なＣＰＣＨパフォーマンス低下の原因であるセルを識別して、十分なＣＰＣＨパフォーマンスレベルが回復されることを確実にするアクションである。セルが、ＣＰＣＨパフォーマンスを監視することができる多くの方法が存在する。例えば、システムは、各セル内で、各移動体によって報告されたＣＰＣＨ品質メトリックを収集することができる。メトリックは、好ましくは、システム内で動作する基地局群（ＢＳ群）によって収集される。
【００１２】
例えば、１次共通制御物理チャネル（ＰＣＣＰＣＨ）に固有のＣＰＣＨ品質メトリックの実施例には、ＰＣＣＰＣＨ上でＷＴＲＵによって感知されるＢＣＨ読み取り時間、および信号対干渉比（ＳＩＲ）が含まれるが、以上には限定されない。同様にＳＣＣＰＣＨに固有のＣＰＣＨ品質メトリックの実施例には、ＳＣＣＰＣＨに関してＷＴＲＵによって感知されるブロック誤り率(ＦＡＣＨ  ＢＬＥＲ）、ビット誤り率（ＦＡＣＨ  ＢＥＲ）、信号対干渉比（ＳＩＲ）が含まれるが、以上には限定されない。セルによって収集される各ＣＰＣＨ品質メトリックは、好ましくは、セルの特定の区域に関連付けられる。セルの区域は、セルの角セクション（ａｎｇｕｌａｒ  ｓｅｃｔｉｏｎ）、またはセルの地理的区域全体の任意の恣意的な分割として表すことができる。セルのＢＳは、自らが収集する各ＣＰＣＨ品質メトリックを、セルの特定の区域に関連付けるのに、ＣＰＣＨ品質メトリックを報告したＷＴＲＵの位置を特定することができなければならない。
【００１３】
システムが、ＷＴＲＵの位置を特定することができる可能な方法には、ＷＴＲＵにおける全地球測位システム(ＧＰＳ）の使用、ならびに着信の遅延、または近隣のＢＳからの測定された電力に基づく三角測量技術が含まれるが、以上には限定されない。システム内の各セルが、多数のＷＴＲＵからＣＰＣＨ品質メトリックを収集し、それらのメトリックをセルの特定の区域に関連付けることができるので、システムは、各セルの各区域に関して、ＣＰＣＨ品質メトリックの分布を得ることができる。その分布がとることが可能な形態の実施例は、各ビン（ｂｉｎ）が、品質メトリックの小さい間隔に対応するヒストグラムである。
【００１４】
システムは、ＣＰＣＨタイムスロットをユーザトラフィックのために再使用しようと試みるのに先立って、ＷＴＲＵ群から十分な統計を収集して、各セルの各区域に関する統計的に安定した分布を得る。それらの分布は、ベースラインＣＰＣＨ品質分布と呼ばれ、システムによって、あらゆるセルのあらゆる区域におけるＣＰＣＨ品質のあらゆる低下を識別するための比較ベンチマークとして使用される。システムは、ＣＰＣＨパフォーマンスが低下しているセルの区域を識別した場合、干渉の原因となっているセルを識別し、ＣＰＣＨ品質が許容できると考えられていた以前の状態を回復するレベルにまで、その干渉を低減する。これを達するのに、システムは、好ましくは、各セルの各区域を、その区域に最も強く干渉するセルに関連付ける所定のマッピングを含む、データベースを使用する。したがって、セル１０４が、例えば、区域１０８を、許容できないＣＰＣＨパフォーマンスの区域として識別した場合、その低下の原因は、セル１０２による、ユーザトラフィックのための、タイムスロット２の再使用であることが明らかである。その場合、セル１０２において、タイムスロット２が、攻撃的（ａｇｇｒｅｓｓｉｖｅ）であるとして識別され、これは、セル１０２によるタイムスロット２の再使用により、タイムスロット２を使用して、自らのＣＰＣＨを伝送しているセル１０４において、ＣＰＣＨパフォーマンスの低下が生じたことを意味する。したがって、セル１０２は、タイムスロット２内でユーザトラフィックのために使用している電力を減分しなければならず、ユーザトラフィックのためにタイムスロット２を再使用する電力を増加させようと試みることは、もはやできない。セル２は、攻撃的であるとタグが付けられたタイムスロット２を有するのに対して、例えば、１０６などの他のセルは、非攻撃的であるとタグが付けられたタイムスロット２を有することが可能であることに留意されたい。つまり、タイムスロット２は、セル１０２に関連して攻撃的であると考えられるが、セル１０６に関連しては、そう考えられないことが可能であり、これは、セル１０６が、依然として、タイムスロット２をユーザトラフィックのために再使用することができることを意味する。
【００１５】
次に図２を参照すると、ＣＰＣＨを伝送するために無線通信システムにおいて使用されるタイムスロット（すなわち、ＣＰＣＨタイムスロット）を、ユーザトラフィックのために再使用することができる方法２００が示されている。方法２００は、所望に応じて、任意の数のセルで実施することができることに留意されたい。方法２００は、ステップ２０２で始まり、各セルに関して、そのセルが、自らのＣＰＣＨを伝送するのに使用していないＣＰＣＨタイムスロットにタグが付けられる。タグは、ＣＰＣＨタイムスロットが非攻撃的であることを明らかにし、これは、それらのＣＰＣＨタイムスロットが、別のセルのＣＰＣＨパフォーマンスの低下を生じさせていないことを意味する。やはり、ステップ２０２で、各セルに関して、セルが、ＣＰＣＨタイムスロット内でユーザトラフィックを伝送することを許される電力（すなわち、Ｐmax_dch_cpch）は、すべてのＣＰＣＨタイムスロットに関して０に設定される。つまり、各セルに関して、各ＣＰＣＨタイムスロットのＰmax_dch_cpchが、０に設定される。さらに、ステップ２０２で、システムは、各セルの各区域に関して、ＣＰＣＨ品質メトリックを収集して、ステップ２１４においてベンチマークとして使用される、統計的に安定したベースライン分布を得る。
【００１６】
ステップ２０２から、方法２００は、ステップ２０４に進み、各セルに関して、そのセルが、そのセル自らのＣＰＣＨを伝送するのに使用しているＣＰＣＨタイムスロットに、攻撃的であるとタグが付けられる。これにより、セルが、ＣＰＣＨの伝送のために自らが使用しているＣＰＣＨタイムスロット内で、ユーザトラフィックを扱うことが防止される。ステップ２０６で、すべてのセルにおいて、セルのすべてのＣＰＣＨタイムスロットが、攻撃的と設定されているか、あるいはＰmax_dch_cpchが、タイムスロット内でＢＳが伝送することを許される、または伝送することができる最大電力に相当するＰmaxに設定されているかどうかが判定される。例えば、４３ｄＢｍまで伝送することを許される、または伝送することができるＢＳに関するＰmaxは、４３ｄＢｍである。
【００１７】
ステップ２０６の結果が、「はい」である場合、方法２００は、ステップ２０８で終了する。説明として、セルが、攻撃的であるとタグが付けられたＣＰＣＨタイムスロットを有する場合、これは、そのセルが、その電力を超えると、そのセルの近隣のセル群の少なくとも１つのセルのＣＰＣＨ受信を低下させる電力で、既に伝送を行っていることを示す。セルが、Ｐmax_dch_cpchがＰmaxに設定されたＣＰＣＨタイムスロットを有する場合、これは、そのセルが、ユーザトラフィックのために、そのＣＰＣＨタイムスロットを既に完全に再使用していることを示す。したがって、前述した条件のいずれかが、すべてのセルのすべてのＣＰＣＨタイムスロットに関して満たされた場合、システムは、セルが、ユーザトラフィックのためにＣＰＣＨの再使用をさらに増加させることができない状態にある。つまり、システムは、セルが、セルのＣＰＣＨタイムスロット群のいずれのタイムスロットのＰmax_dch_cpchも、さらに増加させることができない状態にあり、方法２００は、終了する。
【００１８】
ステップ２０６における結果が、「いいえ」である場合、方法２００は、ステップ２１０に進む。ステップ２１０で、各セルに関して、攻撃的とタグが付けられておらず、Ｐmax_dch_cpchがＰmaxより低く設定されている各ＣＰＣＨタイムスロットのＰmax_dch_cpchが、所定の量、例えば、Ｐ＿ｉｎｃｒｅｍｅｎｔだけ増分される。次に、ステップ２１２で、システムは、ＣＰＣＨパフォーマンスに関する測定値を収集し、各セルの各区域に関して、ＣＰＣＨ品質メトリックの分布を得る。
【００１９】
ステップ２１４で、ＣＰＣＨパフォーマンスが、いずれかのセルのいずれかの区域において許容できないかどうかが判定される。これは、すべてのセルのすべての区域に関して収集されたＣＰＣＨ品質測定の分布を、ステップ２０２で収集されたベースライン分布と比較し、許容できない品質測定値を有する区域が存在すれば、その区域を識別することによって達せられる。存在しない場合、方法２００は、ステップ２０６に戻る。存在する場合、方法２００は、ステップ２１８に進む。次に、ＣＰＣＨパフォーマンス低下を生じさせているセルが識別される（ステップ２１８）。これは、各セル内の各区域をその区域に最も強く干渉するセルに関連付ける所定のマッピングを含むデータベースを調べて、低下が特定の区域において識別された場合、違反するセルがいずれであるかをシステムが知るようにすることによって達せられる。例えば、図１を再び参照すると、区域１０８が、セル１０２にマップされている。
【００２０】
ステップ２２０で、違反するセルのＰmax_dch_cpchが、ＣＰＣＨパフォーマンス低下が測定されたＣＰＣＨタイムスロットに関して、Ｐ＿ｉｎｃｒｅｍｅｎｔだけ減分され、そのＣＰＣＨタイムスロットに、ステップ２１８で識別された違反するセルに関して、攻撃的であるとタグが付けられる。ステップ２２０が完了すると、方法２００は、ステップ２０６に戻る。
【００２１】
次に図３を参照すると、ＣＰＣＨを伝送するために無線通信システムにおいて使用されるタイムスロット（すなわち、ＣＰＣＨタイムスロット）をユーザトラフィックのために再使用することができる無線通信システム３００が示されている。システムは、少なくとも１つの無線ネットワークコントローラ（ＲＮＣ）３０２、および複数のセル３０４、３０６、３０８を含む。この実施形態では、システム３００は、各セル２０４、３０６、３０８に対してＢＳ３０５、３０７、３０９が存在する、全方向性の展開で展開されているのが示されている。システム３００は、もちろん、セル３０４、３０６、３０８に対して単一のＢＳが提供される、セクタに区切られた展開で展開されることも可能である。
【００２２】
前述したとおり、複数のタイムスロットが、通常、ＣＰＣＨタイムスロットとして指定され、ＣＰＣＨを伝送するためにセルによって使用される。この実施形態では、３つのタイムスロット１、２、３が、この場合も、システム３００のためのＣＰＣＨタイムスロットとして指定されているものと想定する。したがって、システム３００を構成しているセルのすべてが、自らのＣＰＣＨを３つのＣＰＣＨタイムスロットのいずれかのタイムスロット内で伝送する。簡明にするため、システム３００の３つだけのセル３０４、３０６、３０８を示すが、もちろん、システム３００は、所望に応じて、任意の数のセルを有することが可能である。３つだけのセルが存在するため、各セルは、そのセルのＣＰＣＨを伝送するために異なるＣＰＣＨタイムスロットを使用することができる。さらなるセルが存在する場合、それらのセルは、割り当てられたＣＰＣＨタイムスロットを同じ形で共用する。つまり、例えば、９０のセル、および３つのＣＰＣＨタイムスロットが存在する場合、９０のセルのそれぞれは、それぞれのセルのＣＰＣＨを伝送するために、３つのＣＰＣＨタイムスロットのいずれかのタイムスロットを使用する。
【００２３】
システム３００において、セル３０６が、セル３０６のＣＰＣＨをＣＰＣＨタイムスロット１内で伝送しており、セル３０４が、セル３０４のＣＰＣＨをＣＰＣＨタイムスロット２内で伝送しており、セル３０８が、セル３０８のＣＰＣＨをＣＰＣＨタイムスロット３内で伝送しているものと想定する。各セルの各区域に関して、ＣＰＣＨパフォーマンスが監視され、ＣＰＣＨパフォーマンスが許容できなくなった場合、許容できないＣＰＣＨが集中しているセル内の区域が識別される。したがって、セル３０４、３０６、３０８のＢＳ３０５、３０７、３０９はそれぞれ、それぞれのセル内で動作しているＷＴＲＵ群から、ＣＰＣＨパフォーマンスのＣＰＣＨ読み取り値、またはＣＰＣＨパフォーマンスの他の任意のメトリックを収集するためのプロセッサ３１０、３１２、３１４を含む。ＣＰＣＨが、セルのいずれかにおいて許容できないと識別された場合、劣悪なＣＰＣＨ測定値を報告しているＷＴＲＵ群の位置が特定される。セル３０４、３０６、３０８のＢＳ３０５、３０７、３０９はそれぞれ、ＷＴＲＵ群の位置特定を行うための別個のプロセッサ３１６、３１８、３２０を含んでもよく、あるいは、その機能が、プロセッサ３１０、３１２、３１４において実行されてもよい。
【００２４】
各セル内で収集されたデータが報告されるＲＮＣ３０２は、ＣＰＣＨが許容できないレベルにまで低下した場合、それを決定により突き止め、各セルによる、ユーザトラフィックのためのＣＰＣＨタイムスロットの再使用を協調させるための、少なくとも１つのプロセッサ３２２も含む。各セルによる、ユーザトラフィックのためのＣＰＣＨタイムスロットの再使用を協調させる際、そのセルの近隣のセル群によってＣＰＣＨを伝送するのに使用されているＣＰＣＨタイムスロット内で、各セルがユーザトラフィックを伝送することができる場合、どのようなＰmax_dch_cpchで各セルがユーザトラフィックを伝送することができるかを、ＲＮＣ３０２は、各セルに知らせる。任意の特定のセルの、例えば、セル３０６の特定の区域において、ＣＰＣＨパフォーマンスが許容できないレベルにまで低下した場合、セル３０６が、セル３０６のＣＰＣＨを伝送するのに使用しているＣＰＣＨタイムスロット（すなわち、ＣＰＣＨタイムスロット１）の、別のセルによる、例えば、セル３０８による再使用の結果、ＲＮＣ３０２は、セル３０８のＢＳ３０９が、ユーザトラフィックのためにタイムスロット１を再使用している電力を、セル３０６におけるＣＰＣＨパフォーマンスを損なわないレベルに戻すように低下させることを確実にする。ＲＮＣ３０２は、好ましくは、セル３０８が、ＣＰＣＨタイムスロット１内でユーザトラフィックのために使用されている電力（すなわち、Ｐmax_dch_cpch）をさらに増加させることを防止する。
【００２５】
本発明は、所望に応じて、任意のタイプのＴＤＤ（時間分割２重）技術を使用する任意のタイプの無線通信システムにおいて実施できることに留意することが重要である。例として、本発明は、ＵＭＴＳ−ＴＤＤタイプ、ＴＤＳＣＤＭＡタイプ、または他の任意のタイプの無線通信システムにおいて実施することができる。さらに、本発明を様々な実施形態に関して説明してきたが、添付の特許請求の範囲で概要を述べる本発明の範囲に含まれる、他の変形形態が、当業者には明白となろう。
【図１】
2010035250.tif 000003
【図２】
2010035250.tif 000004
【図３】
2010035250.tif 000005